(57)【要約】【課題】パソコンがアクセスするサーバへのログインとＩＰ電話機がアクセスするＳＩＰサーバへのログインを連動させ、１回のログイン操作でパソコンとＩＰ電話機の各々のサーバへのログインを自動的に実行させる。【解決手段】データ端末接続手段と、データ端末信号モニタ手段と、ログイン情報記憶手段を有し、データ端末信号モニタ手段によりデータ端末が発信した信号から識別情報を検出した場合、検出した識別情報がログイン情報記憶手段に関連付けられたログイン情報が記憶されているか否かを検索し、識別情報に関連付けられたログイン情報が記憶されていたならば、ログイン情報に従って予め定められた呼制御サーバに対するＩＰ電話機のログインを自動的に実行する。【選択図】図１
2008278085.tif 000002
【特許請求の範囲】
【請求項１】
データ端末と連動するＩＰ電話機であって、
前記データ端末からの信号をモニタするデータ端末信号モニタ手段と、前記データ端末の識別情報と関連付けて予め登録された使用者毎の当該ＩＰ電話機のログイン情報を記憶するログイン情報記憶手段とを有し、前記データ端末信号モニタ手段により前記データ端末が発信した信号から前記識別情報を検出した場合、前記検出した識別情報が前記ログイン情報記憶手段に関連付けられたログイン情報が記憶されているか否かを検索し、前記識別情報に関連付けられたログイン情報が記憶されていたならば、前記ログイン情報に従って予め定められた呼制御サーバに対する当該ＩＰ電話機のログインを自動的に実行することを特徴とするデータ端末連動自動ログイン機能を有するＩＰ電話機。
【請求項２】
請求項１に記載のＩＰ電話機であって、前記ログイン情報記憶手段は、複数のデータ端末に対して共通のログイン情報を記憶する共通ログイン情報記憶手段を有し、予め設定された端末数以上のログインが行われた場合、前記共通のログイン情報に従って前記呼制御サーバに対する当該ＩＰ電話機のログインを自動的に実行することを特徴とするデータ端末連動自動ログイン機能を有するＩＰ電話機。
【発明の詳細な説明】
【技術分野】
【０００１】
本発明は、データ端末に連動するＩＰ（Internet Protocol）電話機に関し、特に、自動ログイン機能を有するＩＰ電話機に関する。
【背景技術】
【０００２】
従来、オフィスで使用するＩＰ電話機とパソコンは別々にログインする必要があった。
例えば、特許文献１には、ＩＰ電話端末のＩＰアドレス数とユーザＩＤ(識別記号)数が大きくなるとＳＩＰ（Session Initiated Protocol）サーバの呼接続処理の負荷が大きくなる問題を解決するために、ユーザが登録可能なＩＰ電話端末の上限台数を設定してＩＰ電話端末が上限数を超える場合は強制的にログイン入力待ち状態に移行しログインを待機させる技術が開示されている。但し、この場合はＩＰ電話端末１個体のみによるログインを行っており、他ＩＰ端末（コンピュータ）のＩＰネットワークへのログインについては別途ログイン動作が必要である。
【特許文献１】特開２００６−１８７０４１号公報
【発明の開示】
【発明が解決しようとする課題】
【０００３】
従来の環境では、ＩＰ電話機とパソコンを別々にサーバにログインさせる必要があったため、両者が同一のＩＤを有しているにもかかわらず、２段階のログインアクセスを行う必要があり、両者が利用可能な状態になるまでに時間がかかった。特に、ＩＰ電話機やパソコンのユーザが入れ替わる（交替する）場合など、ＩＰ電話機側のデータ設定、ログインＩＤを変更させる必要があり、更に時間を要する原因となっていた。
【０００４】
本発明の課題は、パソコンがアクセスするサーバへのログインとＩＰ電話機がアクセスするＳＩＰサーバへのログインとを連動させ、１回のログイン操作でパソコンとＩＰ電話機の各々のサーバへのログインを自動的に実行させることにある。
【課題を解決するための手段】
【０００５】
本発明のデータ端末と連動するＩＰ電話機は、前記データ端末からの信号をモニタするデータ端末信号モニタ手段と、前記データ端末の識別情報と関連付けて予め登録された使用者毎の当該ＩＰ電話機のログイン情報を記憶するログイン情報記憶手段とを有し、前記データ端末信号モニタ手段により前記データ端末が発信した信号から前記識別情報を検出した場合、前記検出した識別情報が前記ログイン情報記憶手段に関連付けられたログイン情報が記憶されているか否かを検索し、前記識別情報に関連付けられたログイン情報が記憶されていたならば、前記ログイン情報に従って予め定められた呼制御サーバに対する当該ＩＰ電話機のログインを自動的に実行することを特徴とする。
【発明の効果】
【０００６】
本発明によれば、利用者はパソコンのログイン操作をするだけで、ＩＰ電話機のログインが自動的に実行されるので、ログイン操作が一回で済む利点がある。
【０００７】
特にフリーオフィスのような、社員と電話機の数が１対１でないような環境に於いて、１台のＩＰ電話機に複数ユーザのログインデータを登録することで、いちいちＩＰ電話機のログインを意識させないＩＰ電話システムを構築できる効果がある。
【発明を実施するための最良の形態】
【０００８】
以下、図面を使用して本発明の実施の形態について説明する。
【実施例１】
【０００９】
図１は、本発明の実施例１のＩＰ電話機１００とコンピュータとを含むシステム全体の構成を示す図である。
【００１０】
図１において、本発明の実施例１のＩＰ電話機１００と各々のユーザが所有する複数のコンピュータ２００−１〜２００−２（以下、「代表」の意味で「コンピュータ２００」と称する。）と、が外部ネットワーク接続用の有線ＬＡＮ（Local Area Network）７００を介して接続されている。
【００１１】
また、ユーザが所有する無線ＬＡＮ対応コンピュータ２００−３が、ＩＰ電話機１００に接続されたアクセスポイント８１０と無線ＬＡＮ８００を介して接続されている。
【００１２】
ＩＰ電話機１００とＳＩＰサーバ３００とＤＮＳ（Domain
Name Server）サーバ４００とファイルサーバ５００は、ＬＡＮ６００を介して接続されている。ＩＰ電話機１００は、ＳＩＰサーバ３００にログインを行い、ユーザ個人所有のコンピュータ２００は、ＤＮＳサーバ４００とファイルサーバ５００にログインする。（ここでのＤＮＳサーバ４００とファイルサーバ５００はユーザ個人所有のコンピュータ２００の運用上の一例である）。
【００１３】
別のＩＰ電話機９１０（２台目）と複数のコンピュータ２００−４、２００−５で構成されるシステムが９００として示されている。
【００１４】
ＩＰ電話機１００は、ユーザ個人所有のコンピュータ２００からのＡＲＰメッセージ４１０を監視し、ＡＲＰメッセージを検出すると当該メッセージをアドレス情報（ＭＡＣアドレス）を、ＳＩＰサーバ３００に対してログインメッセージ３１０として送出する。その際にＩＰ電話機１００は、ＳＩＰサーバ３００からそのＭＡＣアドレスに応じてユーザ情報を取得してもよい。ここで、ユーザ情報とはユーザまたはグループ毎の電話帳データ、着信履歴、発信履歴、プログラマブルキーの機能割り当て情報等を意味する。
【００１５】
図２は、本発明の実施例１のＩＰ電話機１００の内部構成図である。
【００１６】
ＩＰ電話機１００の内部にＭＡＣ（Media
Access Control）アドレスモニタ部１０１、ログイン通知部１０２、ユーザ対応情報メモリ１０４、ユーザデータ送受信部１０５、入力装置１０９（ユーザデータ表示ボタン、プログラマブルキー）、表示装置１１０を持ち、制御部１０３にて各ブロックの制御を行う。
【００１７】
ＩＰ電話機１００は、２つの有線ＬＡＮインタフェース１０６、１０７を持ち、コンピュータ２００はＩＰ電話機１００を中継して外部ネットワークのＬＡＮ６００と接続する。有線ＬＡＮインタフェース１０６は外部ネットワーク接続側のＬＡＮ６００と接続され、有線ＬＡＮインタフェース１０７はコンピュータ２００接続側のＬＡＮ７００と接続する。また、無線ＬＡＮインタフェース１０８を持ち、無線ＬＡＮ通信が可能である。
【００１８】
図３は、本発明の実施例１のＩＰ電話機１００の動作をフローチャート化したものである。
【００１９】
コンピュータ２００は、ＤＮＳサーバ４００やファイルサーバ５００へのログインを行う場合に、まずＬＡＮ６００上（同一サブネット）のネットワーク機器に対してＡＲＰメッセージ４１０を送信する。ＩＰ電話機１００は、コンピュータ２００よりＤＮＳサーバ４００やファイルサーバ５００に対して発信されたＡＲＰ（Address Resolution Protocol）メッセージ４１０に含まれるコンピュータ２００のＭＡＣアドレス値をＭＡＣアドレスモニタ部１０１にて監視し、抽出する（Ｓ３０１）。
【００２０】
ユーザ対応情報メモリ１０４に予め入力装置１０９を使って登録してあるＭＡＣアドレスをメモリテーブル（詳細について図６にて説明する）から検索し、受信したＭＡＣアドレス値が登録済みのＭＡＣアドレスかどうかを判別する（Ｓ３０２）。
【００２１】
登録済みのＭＡＣアドレスである場合には、ログイン通知部１０２が、メモリテーブル上のＭＡＣアドレスに対応したユーザＩＤで、ＳＩＰサーバ３００に対してログインを行う（Ｓ３０３）。Ｓ３０２において、ユーザ対応情報メモリ１０４に登録されていないＭＡＣアドレスであった場合には、ＩＰ電話機１００はユーザからのログイン情報入力待ち状態となる（Ｓ３０４）。
【００２２】
ログイン情報入力待ち状態では、表示装置１１０またはコンピュータ２００の表示部にログイン情報入力を促すメッセージを表示させる。ユーザがログイン情報を入力する（Ｓ３０５）と、入力情報をログイン通知部１０２が、ユーザＩＤとして、ＳＩＰサーバ３００に対してログインを行う（Ｓ３０６）。
【００２３】
ログインしたユーザに対して、ＳＩＰサーバ３００より内線番号が付与され、付与された内線番号をユーザ対応情報メモリ１０４に格納する（Ｓ３０７）。このとき、ＳＩＰサーバ３００よりユーザデータ（電話帳データ、着信履歴、発信履歴、プログラマブルキーの機能割り当て情報等）をダウンロードし、ユーザ毎の情報をＩＰ電話機１００に展開することができる。尚、本実施の形態ではユーザＩＤでＳＩＰサーバ登録を行う場合について説明したが、ユーザＩＤだけではなくパスワード、認証証明書等ＳＩＰサーバ登録時に必要な登録情報をメモリテーブルに有していてもよい。
【００２４】
同一グループの情報を持つコンピュータ２００が、設定された数以上ログインをした場合（Ｓ３０８）、ＳＩＰサーバ３００へ対応するグループのＩＤで追加ログイン（Ｓ３０９）の上、ＳＩＰサーバ３００より、グループ毎の代表番号が付与され、付与されたグループ毎の代表番号をユーザ対応情報メモリ１０４に格納する（Ｓ３１０：図６のメモリテーブルにあるログイン中の同一グループの数をカウントする）。代表番号設定がない場合は、そのまま運用状態に移行する（Ｓ３１０）。
【００２５】
図４は、本発明の実施例１のＩＰ電話機１００のログオフ動作のフローチャートである。通常運用状態の場合、予めＩＰ電話機１００に対して入力装置１０９を使って設定してあるログオフタイマーが起動する（Ｓ３１１）。このログオフタイマーの期間が満了となった（Ｓ３１４）時点で、ＳＩＰサーバ３００に対して自動でログオフを行う（Ｓ３１５）。
【００２６】
ログオフタイマーが満了となるまでに、他の電話機に対しての発着信を行った（Ｓ３１２）、あるいはコンピュータ２００がＤＮＳサーバ４００やファイルサーバ５００に対して発信したＡＲＰメッセージを受信した（Ｓ３１３）場合、ログオフタイマーはクリアされる（Ｓ３１１に移行する）。つまり、ユーザが何かしらのネットワークアクセスを何も行わないでログオフタイマーの期間が満了となる（Ｓ３１４）と、ログオフを行う（Ｓ３１５）こととなる。
【００２７】
ＡＲＰメッセージは、ＭＡＣアドレスをもつネットワーク機器に対してアクセスする場合に相手のネットワーク機器のＭＡＣアドレスを認識する為に必ず送出される。
【００２８】
図５は、本発明の実施例１のＩＰ電話機１００がログイン中にユーザデータを表示させる動作をフローチャート化したものである。
【００２９】
ＭＡＣアドレス照合によるＳＩＰサーバ３００へのログインまでの工程をＳ４０１とする。ログイン後、通常運用状態（Ｓ４０２）にてユーザがユーザ情報表示ボタン１１１を押下した（Ｓ４０３）場合、ユーザ対応情報メモリ１０４に格納されたメモリテーブルを読み出し、表示装置１１０に表示する（Ｓ４０４）ことができる。ここで、通常運用状態とは、電話の発着信待機状態を意味する。別ユーザのユーザ情報を続けて表示する（Ｓ４０５）場合には、Ｓ４０３に移行し、ユーザ情報表示ボタン１１１をさらに押下する（Ｓ４０３）ことで、ユーザ対応情報メモリ１０４に格納した別ユーザのユーザ情報を続けて表示する（Ｓ４０４）ことができる。別ユーザのユーザ情報を続けて表示しない（Ｓ４０５）場合には、通常運用状態に移行（Ｓ４０６）し終了する。
【００３０】
図６は、本発明の実施例１のＩＰ電話機１００のメモリテーブルである。
【００３１】
ＩＰ電話機１００のメモリテーブルは、ＩＰ電話機１００のユーザ対応情報メモリ１０４に登録されているテーブルであり、予めＩＰ電話機１００を利用するユーザのユーザ名、ＭＡＣアドレス、各ユーザのグループ情報を登録しておき、図３のＩＰ電話機１００ログイン動作のフローチャートにおけるＳ３０２のＭＡＣアドレス判別時の照合に用いる。ＳＩＰサーバ３００より付与され格納した内線番号と各ユーザのログイン状況も併せてパラメータとして扱われる。
【００３２】
「※」の印は、該ユーザが未だＳＩＰサーバ３００にログインしていない為、内線番号は付与されていない状態を示す。グループ毎に代表内線番号が付与され（グループＡの１０００，グループＢの１１００）、この番号に発信することで、決められたグループユーザのみを呼び出すことができる。
【００３３】
図７は、本発明の実施例１のＩＰ電話機１００と同システム９００におかれるＩＰ電話機９１０のメモリテーブルである。
【００３４】
ＩＰ電話機１００と同様に、予めユーザ対応情報メモリ１０４に登録されているテーブルである。ＩＰ電話機１００と重複しているユーザは、ＩＰ電話機１００でＳＩＰサーバ３００にログインしていた場合、ログオフ表示となる。例えば、ユーザ名（Ａ０００１，Ｂ００１，Ｂ００２）は、ＩＰ電話機１００でログインしているので、ＩＰ電話機９１０ではログオフとなっている。（このとき、重複しているユーザは両方のＩＰ電話機に既に事前登録を行っている。）
【実施例２】
【００３５】
図８は、本発明の実施例２のＩＰ電話機１００と無線ＬＡＮを用いたシステム全体の構成を示す図である。
【００３６】
図１に示す本発明の実施例１のＩＰ電話機１００を用いたシステム構成では、ＩＰ電話機１００と各々のユーザが所有する複数のコンピュータ２００−１〜２００−３がＩＰ電話機接続用の有線ＬＡＮ７００を介して接続されていたが、図８の実施例２のＩＰ電話機１００を用いたシステム構成では、では、ＩＰ電話機１００と複数の無線ＬＡＮ対応コンピュータ２００−６〜２００−７とは、アクセスポイント８１０を介して無線ＬＡＮで接続されている。
【００３７】
また、図１に示す本発明の実施例１のＩＰ電話機１００を用いたシステム構成では、ＩＰ電話機１００とＳＩＰサーバ３００とＤＮＳサーバ４００とファイルサーバ５００は、ＬＡＮ６００を介して接続されていたが、
図８の実施例２のＩＰ電話機１００を用いたシステム構成では、アクセスポイント８１０とＳＩＰサーバ３００とＤＮＳサーバ４００とファイルサーバ５００は、ＬＡＮ６００を介して接続されている。
【００３８】
図８の実施例２では、ＩＰ電話機１００は、アクセスポイント８１０を介してＳＩＰサーバ３００にログインを行い、無線ＬＡＮ対応コンピュータ２００−６〜２００−７は、アクセスポイント８１０とＤＮＳサーバ４００とファイルサーバ５００にログインする。
【００３９】
別のＩＰ電話機９１０（２台目）と複数のコンピュータ２００−４，２００−５で構築するシステムが９００として示されている。
【００４０】
ＩＰ電話機１００は、ユーザ個人所有の無線ＬＡＮ対応コンピュータ２００−６〜２００−７からのアクセスポイント８１０へ送信されるＡＲＰメッセージ４１０を監視して、ＩＰ電話機１００は自動的にＳＩＰサーバ３００に対してログインメッセージ３１０を送出する。その際にＩＰ電話機１００はユーザ毎の情報を取得する。
【００４１】
尚、本実施例では無線区間２００−６，２００−７から発信されるＡＲＰメッセージを監視し、ＩＰ電話機１００からＳＩＰサーバ３００にＳＩＰサーバへのログイン信号を送信しているが本内容に限定されない。
【００４２】
例えば、アクセスポイント８１０がＡＲＰメッセージ信号監視機能及びＩＰ電話機１００の通信制御機能を有し、ＡＲＰメッセージを受けるとＩＰ電話機１００と連携してＳＩＰサーバに送信してもよい。また、ＩＰ電話機１００がアクセスポイント通信制御機能を有していてもよい。
【図面の簡単な説明】
【００４３】
【図１】図１は、本発明の実施例１のＩＰ電話機１００とコンピュータとを含むシステム全体の構成を示す図である。
【図２】図２は、本発明の実施例１のＩＰ電話機１００の内部構成図である。
【図３】図３は、本発明の実施例１のＩＰ電話機の１００ログイン動作のフローチャートである。
【図４】図４は、本発明の実施例１のＩＰ電話機１００のログオフ動作のフローチャートである。
【図５】図５は、本発明の実施例１のＩＰ電話機１００のユーザ情報表示のフローチャートである。
【図６】図６は、本発明の実施例１のＩＰ電話機１００のメモリテーブルである。
【図７】図７は、本発明の実施例１のＩＰ電話機１００と同システム９００におかれるＩＰ電話機９１０のメモリテーブルである。
【図８】図８は、本発明の実施例２のＩＰ電話機１００と無線ＬＡＮを用いたＩＰ電話システム全体の構成図である。
【符号の説明】
【００４４】
１００    ＩＰ電話機
１０１    ＭＡＣアドレスモニタ部
１０２    ログイン通知部
１０３    制御部
１０４    ユーザ対応情報メモリ
１０５    ユーザデータ送受信部
１０６    有線ＬＡＮインタフェース
１０７    有線ＬＡＮインタフェース
１０８    無線ＬＡＮインタフェース
１０９    入力装置
１１０    表示装置
１１１    ユーザ情報表示ボタン
２００−１    コンピュータ
２００−２    コンピュータ
２００−３    無線ＬＡＮ対応コンピュータ
２００−４    無線ＬＡＮ対応コンピュータ
２００−５    無線ＬＡＮ対応コンピュータ
３００    ＳＩＰサーバ
３１０    ＳＩＰサーバへのログイン信号
４００    ＤＮＳサーバ
４１０    コンピュータからのＡＲＰメッセージ
５００    ファイルサーバ
６００    ＬＡＮ
７００    ＩＰ端末接続用有線ＬＡＮ
８００    ＩＰ端末接続用無線ＬＡＮ
８１０    アクセスポイント
９００    ＩＰ電話機システム
９１０    ＩＰ電話機
【図１】
2008278085.tif 000003
【図２】
2008278085.tif 000004
【図３】
2008278085.tif 000005
【図４】
2008278085.tif 000006
【図５】
2008278085.tif 000007
【図６】
2008278085.tif 000008
【図７】
2008278085.tif 000009
【図８】
2008278085.tif 000010